(57)【特許請求の範囲】
【請求項１】
塀用パネルを複数枚用いて塀を構築したパネル塀であって、
前記塀用パネルは、枠体に金属製の外板を貼付したパネルに他のパネルと連結するための連結部を形成しており、
前記塀用パネルは、その縦、横、厚さが同一の基準寸法に仕上げられており、
前記塀用パネルは、下地塗装として金属表面への付着性の高い下地調整材を塗布し、該下地塗装の表面に合成樹脂と砂とパルプを含む外装材が塗布されている
ことを特徴とするパネル塀。
【請求項２】
湾曲単位パネルを任意数用いて塀を構築したパネル塀であって、
前記湾曲単位パネルは、枠体に金属製の湾曲した表外板および湾曲した裏外板を貼付したパネルに他のパネルと連結するための連結部を形成しており、
前記湾曲単位パネルは、その縦、横、厚さが同一の基準寸法に仕上げられており、
前記湾曲単位パネルは、下地塗装として金属表面への付着性の高い下地調整材を塗布し、該下地塗装の表面に合成樹脂と砂とパルプを含む外装材が塗布されている
ことを特徴とするパネル塀。
【請求項３】
前記パネルが意匠性加工を施したものである
ことを特徴とする請求項１記載のパネル塀。
【請求項４】
前記パネルが、機能性部材を取付けたものである
ことを特徴とする請求項１記載のパネル塀。
【請求項５】
前記パネルが、アルミニウム材を用いたものである
ことを特徴とする請求項１または２記載のパネル塀。
【発明の詳細な説明】
【技術分野】
【０００１】
本発明は、塀用パネルを用いたパネル塀に関する。さらに詳しくは、家屋や敷地の周りを囲む塀を構築するための塀用パネルを用いて構築したパネル塀に関する。
【背景技術】
【０００２】
従来より家屋や敷地の周りを囲む塀にはコンクリートブロックを積み上げたブロック塀が多用されている。
しかるにブロック塀は、砂をセメントで固めたコンクリート構造物であるので重量が重く、施工性に劣るし倒壊したときに人が下敷きになると大きな人身事故を招くという欠点があった。
【０００３】
そこで、軽量化しながら外観の質も向上させたものとして特許文献１，２の従来技術が提案された。
特許文献１の従来技術は、アルミニウム製構造材からなるフレームにセメント系のパネルを取付け、かつ外面にタイルを貼付したものである。
特許文献２の従来技術は、アルミニウム製構造材からなるフレームに窯業系サイディングを張設したものである。
【０００４】
上記従来例１、２は、セメント系パネルやタイル（特許文献１）や窯業系サイディング（特許文献２）を外装材として使うため、コンクリートブロックよりは軽いものの、軽量効果は充分ではなかった。
また、躯体フレームを組立て、これに各種の外装材（セメント系パネルやタイル、窯業系サイディング）を取り付けていくので、現場施工に手間がかかるという問題があり、仮に工場内で組立てして出荷するようにすれば、変化の乏しい塀となり、自然環境や住宅・都市デザインに適合させた意匠性を欠くものとなってしまう。
【０００５】
一方、軽量化の点では、更に進化した従来技術として、特許文献３がある。この従来技術は、支柱に合成樹脂製のパネルを結合したものである。
この従来技術では、軽量で施工性の優れたものとなるが、厚さの薄い板状の外観となり、かつ表面が平坦なだけであるから美的質感は極めて乏しいものであって、自然や住宅・都市デザインに適合する仕上がりにすることができない。
【先行技術文献】
【特許文献】
【０００６】
【特許文献１】特開平６−１３７０５１号公報
【特許文献２】特開平７−１８９６２号公報
【特許文献３】特開２００３−３２１９５２号公報
【発明の概要】
【発明が解決しようとする課題】
【０００７】
本発明は上記事情に鑑み、軽量で、美的外観に富み、施工性がよく、自然や住宅・都市デザインに合致した意匠性を発揮することができ、また、軽量であって倒壊しにくく、仮に倒壊しても人身事故になりにくいパネル塀を提供することを目的とする。
【課題を解決するための手段】
【０００８】
第１発明のパネル塀は、塀用パネルを複数枚用いて塀を構築したパネル塀であって、前記塀用パネルは、枠体に金属製の外板を貼付したパネルに他のパネルと連結するための連結部を形成しており、前記塀用パネルは、その縦、横、厚さが同一の基準寸法に仕上げられており、前記塀用パネルは、下地塗装として金属表面への付着性の高い下地調整材を塗布し、該下地塗装の表面に合成樹脂と砂とパルプを含む外装材が塗布されていることを特徴とする。
第２発明のパネル塀は、湾曲単位パネルを任意数用いて塀を構築したパネル塀であって、前記湾曲単位パネルは、枠体に金属製の湾曲した表外板および湾曲した裏外板を貼付したパネルに他のパネルと連結するための連結部を形成しており、前記湾曲単位パネルは、その縦、横、厚さが同一の基準寸法に仕上げられており、前記湾曲単位パネルは、下地塗装として金属表面への付着性の高い下地調整材を塗布し、該下地塗装の表面に合成樹脂と砂とパルプを含む外装材が塗布されていることを特徴とする。
第３発明のパネル塀は、第１発明において、前記パネルが意匠性加工を施したものであることを特徴とする。
第４発明のパネル塀は、第１発明において、前記パネルが、機能性部材を取付けたものであることを特徴とする。
第５発明のパネル塀は、第１または第２発明において、前記パネルが、アルミニウム材を用いたものであることを特徴とする。
【発明の効果】
【０００９】
第１発明によれば、つぎの効果を奏する。
ａ）パネルに連結部があるので、他のパネルと連結して塀を構築できる。そして、構成部材が枠体と外板だけなので軽量であり、倒壊しにくく、仮に倒壊しても人身事故になりにくいパネル塀が得られる。
ｂ）基準寸法をもつ複数の塀用パネルを上下左右に連結することにより、高さが異なる塀、また任意の長さの塀を構築することができ変化に富むように構築したパネル塀が得られる。
ｃ）下地調整材は金属表面への付着性が高いので外装材を確実に付着させ、剥離等が生じないようにできる。外装材は砂とパルプを含むので、自然の風合いと嵩高感を演出できる。
第２発明によれば、つぎの効果を奏する。
ａ）湾曲単位パネルが湾曲しているので、これを連結すると湾曲した曲面パネルが得られる。また、連結する湾曲単位パネルの数を変えることにより曲面パネルの幅寸法、すなわち湾曲角度を任意に変更できる。
ｂ）基準寸法をもつ複数の湾曲単位パネルを上下左右に連結することにより、高さが異なる塀、また任意の長さのパネル塀を構築することができ変化に富むように構築したパネル塀が得られる。
ｃ）下地調整材は金属表面への付着性が高いので外装材を確実に付着させ、剥離等が生じないようにできる。外装材は砂とパルプを含むので、自然の風合いと嵩高感を演出できる。
第３発明によれば、意匠性加工によって種々の美的外観を塀に与えることができるので、自然や住宅・都市等の景観にマッチした塀を実現できる。
第４発明によれば、機能性部材を取付けることによって玄関用の郵便ポストや電灯覆いなどを構成して従来同様の住宅エクステリア機能を発揮できる。
第５発明によれば、アルミニウム材は押出し成形が可能なので、低コストで塀用パネルを製造でき、かつ軽量化も達成できる。
【図面の簡単な説明】
【００１０】
【図１】本発明で用いる塀用パネルの一例であって、（Ａ）は一部破断正面図、（Ｂ）は平面図、（Ｃ）は側面図である。
【図２】２枚の塀用パネルの連結構造の一例を示す横断面図である。
【図３】第１の基準寸法に属する塀用パネル４点の斜視図である。
【図４】第２の基準寸法に属する塀用パネル４点の斜視図である。
【図５】図４に示す曲面パネル８の拡大斜視図である。
【図６】塀用パネルを用いて構築した本発明のパネル塀の一例の施工手順の説明図である。
【図７】塀用パネルを用いて構築した本発明のパネル塀の他の施工手順の説明図である。
【図８】外装材の塗布方法の説明図である。
【図９】塀用パネルを用いて構築した本発明のパネル塀を示す斜視図である。
【図１０】曲面パネル８の組合せ例の説明図である。
【図１１】角開口パネル２の他の例であって、（Ａ）は正面図、（Ｂ）は平面図である。
【図１２】丸開口パネル３の他の例であって、（Ａ）は正面図、（Ｂ）は平面図である。
【図１３】基礎柱の説明図であり、（Ａ）は平面図、（Ｂ）は正面図、（Ｃ）は側面図である。
【図１４】基礎柱を使って設立した塀の説明図であって、（Ａ）は平面図、（Ｂ）は正面図、（Ｃ）は側面図である。
【発明を実施するための形態】
【００１１】
（本発明の特徴）
本発明の特徴は、塀を構築するのにモジュール化された塀用パネルを用いた点にある。このモジュール化の意味は、統一化された基準寸法の縦、横、厚さ寸法をもつように各塀用パネルが構成され、互いに連結して、高さを変え、かつ左右方向に長さを延ばすことが可能となっていることにある。
【００１２】
基準寸法は一つでもよく、二つ以上でもよい。ただし、基準寸法が余り多数にわたると施工の容易さが失われるので、施工性の面からは少ない方がよいが、とくに制限があるわけではない。
【００１３】
各塀用パネルの連結は、パネルとは別部材である支柱を介して行ってもよく、パネル同士を直接結合してもよく、両方を組合わせてもよい。
支柱を介する連結では、横方向には、隣接するパネルの間に一本づつ支柱を立て、支柱を介して各パネルを連結することにより、横方向には無限に延ばしていくことができる。また、高さ方向にはパネルを上に積み重ね、かつ同じ支柱に連結することでよい。そして、支柱に連結するための連結部は公知の構造の連結構造を任意に採用することができる。
支柱を用いない連結では、各塀用パネルに直接連結用の連結部を設けておけばよく、その構造は任意である。
【００１４】
つぎに、本発明の実施形態を図面に基づき説明する。
本明細書では、第１基準寸法と第２基準寸法をもつ二つのパネル群からなる実施形態を説明する。
【００１５】
（塀用パネル）
塀用パネルの基本構造を、図１に示す基本パネル１を例にとって説明する。
図示のパネル１は、第１基準寸法に属するもので、四角形の枠体１１と、その表裏両面に貼付した２枚の外板１２とからなる。
枠体１１は左右の縦桟１１ａと上下の横桟１１ｂを個別に製作した後で互いに結合したものでもよく、初めから一体に製作したものでもよい。枠体１１の大きさに併せて、補強用の桟１３を用いることは任意である。
外板１２は、枠体１１の縦横寸法と同じ板材であり、枠体１１への取付けは、ビス止めや溶接など任意の手段をとりうる。
【００１６】
枠体１１の左右の縦桟１１ａには、連結部１４が形成されている。
連結部１４の詳細を図２に基づき説明する。
図２は支柱２０を用いて隣接するパネル１，１を連結した状態の拡大図である。パネル１，１は端部のみ示されている。
連結部１４は、縦桟１１ａから外側に突出した２枚の突片で、縦桟１１ａとほぼ同じ上下長さを有している。また、その適所、たとえば上下両端部と中間部１２はビス孔が形成され、ビスの螺合が可能となっている。
【００１７】
なお、支柱２０には、連結板２１がネジ止めされており、この連結板２１には前記連結部１４の相手部材となる被連結部２４が形成されている。そして、ビス２５を連結部１４と被連結部２４に共に螺合することにより、パネル１，１を支柱２０を介して連結できるようになっている。
なお、上記の連結構造は一例であって、他の任意の構造をとくに制限なく採用できる。
【００１８】
上記パネルの構成素材には、金属や合成樹脂を利用できる。金属には、鉄や銅、マグネシウム、アルミニウムなどの利用が可能である。
【００１９】
地震等による耐倒壊性を高めるためには、軽量素材を用いるのが好ましく、強度と軽量性を共に満足するためには、軽金属、とくにアルミニウムが好ましい。枠体１１はアルミニウム押出形材であると、製造が容易であり、任意の断面形状が可能であって、かつ連結部１４も同時に成形できる。
外板１２は、アルミニウム板、もしくはアルミニウム板に合成樹脂層を積層したものが好適である。
なお、アルミニウム材料は、軽量性と耐腐食性を兼ね備えている。
また、支柱２０もパネルと同様の種々の材料を用いることができるが、強度と軽量性を共に満足するには軽金属、とくにアルミニウム製の押出形材が好ましい。
【００２０】
本発明では、上記基本パネル１以外にも後述する種々のパネルが用いられるが、基本構造は実質同様である。なお、各パネルの相違点については、後述するとおりである。
【００２１】
（塀用パネル群）
図３には、第１基準寸法のパネル群に属する各種パネル１〜４が示されている。これらの概要は、以下のとおりである。
【００２２】
１：基本パネル
塀構築の基本部材となるパネルであって、外板１２は特別の孔加工などは施されておらず、平坦な形状のままである。パネルの内部は空洞であり、最も軽量なタイプである。
２：角開口パネル
基本パネルに角形の開口２ａを形成したものである。図示の例では、開口２ａは２個所であるが、開口の数や位置は任意である。
【００２３】
３：丸開口パネル
基本パネルに丸形の開口３ａを形成したものである。図示の例では、開口３ａは４個であるが、開口の数や位置は任意である。
４：現場加工用パネル
基本パネルのパネル内部に発泡剤、たとえば低発泡ポリスチレンを充填したものである。内部が密に充填されているので、強度が向上する外、現場で任意の形状に切断しても、内部の充填物を介して切断部分のシールが容易に行えるという利点がある。
【００２４】
第１基準寸法のパネル群は、上記の４種類に限られない。たとえば、縦格子を形成したものや、ルーバーを形成したものなど、その他種々のタイプをとくに制限なく用いることができる。
【００２５】
第１基準寸法としては、とくに制限なく、施工性などの面から任意の寸法を採用できるが、縦６００ｍｍ、横９１０ｍｍ、厚さ６０ｍｍなどを例示できる。支柱の高さは、パネルの高さに根入れ寸法２００〜３００ｍｍを足した高さとするのが代表的であるが、これに限られることはない。
【００２６】
第２基準寸法のパネル群を図４に基づき説明する。
５：基本パネル
構造は、第１基準寸法の基本パネル１と実質同一であるが、横寸法が小さくなっている。
６：丸開口パネル
構造は、第１基準寸法の丸開口パネル３と実質同一であるが、横寸法が小さくなっている。
【００２７】
７：ポスト用パネル
基本パネル５に郵便用ポストを結合したものである。塀のポスト部分に用いられる。
８：曲面パネル
曲面に形成したパネルであり、塀のコーナー部分などの構築に用いられる。
この曲面パネル８は図５に示すように、湾曲断面を有する湾曲単位パネル８ａを雄雌形の連結部１４を用いて複数個連結して大きな面積の曲面パネルに形成したものである。図示の例では、５枚の湾曲単位パネル８ａを連結している。
各湾曲単位パネル８ａは、湾曲した表外板８１と湾曲した裏外板８２を枠体に結合したもので、枠体は左右両側の側板８３と中央の補強用隔壁８４からなる。また両側板８３には既述の連結部１４が形成されている。
各湾曲単位パネル８ａは断面が湾曲しているので、これらを結合すると湾曲した大きな曲面パネルにすることができる。
【００２８】
第２基準寸法に属するパネルは上記の種類に限られない。上記の外、丸開口や縦格子、ルーバーセットを形成したものも、用いることができ、さらには、例示してない種々のものも用いることができる。
【００２９】
第２基準寸法は、第１基準寸法と異なっており、図示のものは横寸法が第１基準寸法より短い５１０ｍｍであるが、この寸法に限られない。図示の例では高さが第１基準寸法と同じであるが、異なっていてもよい。
【００３０】
第１基寸法のパネルと第２基準寸法のパネルは、混在させて連結して、塀の高さや長さに変化を付けることに技術的意義があるので、組合せ可能な寸法と形状をもつことが必要である。
【００３１】
第１基準寸法および第２基準寸法に属す各パネルは上記１〜７のパネルのような四角形平板状のものに限らず、各種の形状のものを任意に用いることができる。曲面パネル８もその例である。
【００３２】
上記に示した各種パネルのうち、角開口パネル２と丸開口パネル３、６は外板に意匠性加工を施したものであり、ポスト用パネル７は機能性部材を取付けたものである。
本発明において、意匠性加工は種々のものを任意に採用でき、角開口や丸開口の外、角開口と丸開口の組み合わせ、縦格子、横格子、ガラスブロック埋め込みなどの加工、その他任意のものを付加することができる。
また、機能性部材は、縦型や横型のポストやルーバーセットの外、照明装置、インターホンなどを付加し、さらにその他任意のものを付加することができる。また、防音性などパネル自体の機能を高めることもできる。
【００３３】
（パネル塀）
つぎに、上記塀用パネルを用いた塀の構築方法を説明する。
図６はパネル塀の構築方法の一例を示している。図中の（１）〜（５）の符号は、下記（１）〜（５）の工程に対応している。
【００３４】
（１）支柱立設工程
地中に基礎５１を構築して、支柱２０を必要本数だけ立設する。基礎５１としては、布基礎も独立基礎も用いることができる。
（２）連結工程
２本の支柱２０、２０の間に、丸開口パネル６、ポスト用パネル７、基本パネル５を順に挿入し、各パネルを支柱２０、２０に連結する。この連結には図２に示す連結部１４へのビス止めにより行われる。
【００３５】
（３）下地塗装
連絡された各パネル５，６，７の表面に下地調整材３１を施す。この下地調整材３１は、次工程で行う外装材が確実に付着し、剥落等が生じないようにするため行われる。
代表的には、合成樹脂（たとえば、エポキシ樹脂）や防錆顔料を主成分とするプライマーが用いられる。これらの下地調整材３１は金属表面への付着性の高いのが特徴である。なお、下地塗装の前に連結部分の目地を平滑にする目地処理も必要に応じて行われる。
【００３６】
（４）外装材塗布
下地層の表面に外装材３２を塗布する。外装材の代表的なものは、バインダーとしての合成樹脂と砂とパルプを主成分とするものなどが用いられ、鏝仕上げ、ローラー塗装、吹付け仕上げ等の手法で塗布される。この外装材は砂とパルプを含むことから自然の風合いと嵩高感を有する点に特徴がある。
特別の用途を有しない塀としてなら、外装材３２の乾燥固定により、施工は完了する。
【００３７】
（５）仕上げ加工
一般的な塀としてでなく玄関用郵便ポストを兼ねたい場合は、完成したパネル塀に後付け型の郵便ポスト４１を取付けたり、インターホン４２を取付け、更にはデザイン仕上げを目的とした表面塗装を行ってもよい。
なお、郵便ポスト４１を取付けるには、図４に示すようなポスト用パネルを用いたり、図３に示す現場加工用パネル４を用いて希望する大きさと形状の郵便ポストやインターホンを取付けることもできる。
【００３８】
図７の例をつぎに説明する。図中の（１）〜（３）の符号は、下記（１）〜（３）の工程に対応している。なお、支柱立設工程の説明は省略する。
（１）連結工程
基礎に立てられた４本の支柱２０の間に、各パネルを連結する。用いたパネルは、第１基準寸法の基本パネル１と丸開口パネル３、第２基準寸法の丸開口パネル６と基本パネル５および曲面パネル８である。
（２）下地塗装と（３）外装材塗布
下地塗装と外装材塗布の方法は、図６の例と同じである。
【００３９】
図８は上記工程で用いられる下地調整材３１と外装材３２の塗布の具体的方法を示している。
同図（ａ）に示すように、パネルの外表面（外板１２）に下地調整材３１をローラ等で塗布する。この下地調整材は常温で数時間（たとえば、２時間）で乾燥するものが用いられる。下地調整材３１が乾燥すると、外装材３２を塗布する。この外装材３２はねばりがあり嵩高く塗布する必要があるので、こて塗りで行うのが代表的であるが、ローラや吹付けなどの手法でも行われる。外装材３２は速乾性はないが、夏場で半日、冬場で２日程度で乾燥するものが好ましい。
【００４０】
外装材にアクリルシリコンエマルジョンなどを主成分とする防汚剤を含有させている場合は、同図（ｂ）に示すように、汚れｄが雨などで落ちやすくなる。また、公知の防藻剤を配合させておけば藻の育成を抑える効果も期待でき、外壁が美麗に保たれるという効果が生じる。
【００４１】
図９はパネル塀としての使用例を示している。
Ｈ１とＨ２は家屋であり、隣接して建てられている。Ｗ１は図６の塀であり、Ｗ２は図７の塀である。なお、Ｗ３は塀Ｗ２と同様の構造の塀であるが、隣家との間の境界用である。
境界用の塀として利用する場合、軽量な塀に仕上がるのでブロック塀には必要な倒れ防止用の控え壁が不要となるので、通路を広く使えるという利点が生ずる。
上記の外、道路に沿った長い塀や公園等の間仕切り塀なども、任意に構築することができる。
【００４２】
((他の実施形態))
（曲面パネル）
図１０は曲面パネル８の他の実施形態を示している。
（Ａ）は２本の支柱２０，２０の間に１本の湾曲単位パネル８ａを取付けたものである。この実施形態の湾曲角度θは１５°である。
（Ｂ）は、２本の支柱２０，２０の間に３本の湾曲単位パネル８ａを取付けたものであり、湾曲角度θは４５°である。
（Ｃ）は、２本の支柱２０，２０の間に５本の湾曲単位パネル８ａを取付けたものであり、湾曲角度θは７５°である。
各湾曲単位パネルの寸法を同一とした場合、連結されて出来た曲面パネル８の幅Ｗは、たとえば、（Ａ）が２８６ｍｍ、（Ｂ）が５３４ｍｍ、（Ｃ）が６５７ｍｍとなる。
このように曲面パネル８は、連結する湾曲単位パネル８ａの数を任意に選択することによって、曲面パネル８の湾曲角度θ、すなわちその幅寸法Ｗを変えることができる。
【００４３】
（意匠性加工を施したパネル）
図１１は、角開口パネル２に意匠性加工を付与した例であり、角開口２ａにガラス調部材２Ｂを嵌合したものである。ガラス調部材２Ｂは２組一対を用い、１個の角開口２ａに表裏両面から嵌合させるのが好ましい。
ガラス調部材２Ｂは、透明のものでも、着色したものでもよい。素材には透明性や着色可能性を有するガラス、ポリカーボネート樹脂、アクリル樹脂などがあげられるが、これらに限定されるものではない。
【００４４】
図１２は、丸開口パネル３に意匠性加工を付与した例であり、丸開口３ａにガラス調部材３Ｂを嵌合したものである。ガラス調部材３Ｂは２組一対を用い、１個の丸開口３ａに表裏両面から嵌合させるのが好ましい。
ガラス調部材３Ｂは、透明のものでも、着色したものでもよい。素材には透明性や着色可能性を有するガラス、ポリカーボネート樹脂、アクリル樹脂などがあげられるが、これらに限定されるものではない。
【００４５】
図１１および図１２の実施形態では、角開口２ａや丸開口３ａにガラス調部材２Ｂ，３Ｂを嵌合させたが、この代りにタイル等のサイディング材を開口２ａ，３ａ内に嵌合させてもよい。この場合、タイル調のデザインが可能となる。
【００４６】
前述した塀の構築方法の支柱立設工程では、基礎５１に立設した支柱２０を用いたが、基礎柱を用いて基礎５１を構築しない施工も可能である。
図１３に示す符号２５は基礎柱であり、ベースプレート２６とその中央部に立設された挿入柱２７とからなる。挿入柱２７の基端はベースプレート２６に溶接等で固定されている。また、ベースプレート２６の四隅にはボルト挿入孔２８が形成されている。
【００４７】
図１４に示すように、基礎柱２５は角筒状の支柱２０の内部に挿入され、ベースプレート２６は床面にボルトで固定される。ベースプレート２６の床面への固定は、予め設置している植え込みボルトや公知の後付け用先開ボルトなどを利用できる。また、床面はコンクリート製でも木製でも適用することができる。この基礎柱２５を用いた施工は後付けに好適である。
【００４９】
（機能性をもたせたパネル）
前記した各種パネル１〜８は、内部が空洞であるものが基本であるが、これに各種の機能を付与することもできる。
付与する機能としては、防音や蓄光などを例示できるが、これらに限られることはない。
防音機能を果たすには、パネル１〜８の内部に吸音材を封入することで実現できる。
蓄光機能を果たすには、蓄光塗料を塗布することで実現できる。
【符号の説明】
【００５０】
１〜８  パネル
１１    枠体
１２    外板
２０    支柱
３１    下地調整材
３２    外装材
【図１】
0005686756.tif 000002
【図２】
0005686756.tif 000003
【図３】
0005686756.tif 000004
【図４】
0005686756.tif 000005
【図５】
0005686756.tif 000006
【図６】
0005686756.tif 000007
【図７】
0005686756.tif 000008
【図８】
0005686756.tif 000009
【図９】
0005686756.tif 000010
【図１０】
0005686756.tif 000011
【図１１】
0005686756.tif 000012
【図１２】
0005686756.tif 000013
【図１３】
0005686756.tif 000014
【図１４】
0005686756.tif 000015